(57)【要約】【課題】回転式電子部品の構成に加えてさらに他の種類の電子部品の構成も備えてこれらをコンパクトに一体化することが可能な多機能型電子部品を提供する。【解決手段】ケース４０の上部に回転つまみ２０を設置すると共に、ケース４０の下部に回転つまみ４０と一体に回転する回転体６０を設置し、回転つまみ２０の中央に設けた開口部２２内に押釦つまみ１０を設置し、ケース４０の外周部に揺動つまみ３０を設置し、ケース４０の下側にフレキシブル回路基板７０を設置し、該フレキシブル回路基板７０上に、回転体６０に取り付けた摺動子６６と摺接してこの摺動子６６と共に電気的機能部５５を構成する摺接パターン７５と、揺動つまみ３０の押圧部３３で押圧される外周スイッチ７８と、押釦つまみ１０の押圧部１２で押圧される中央スイッチ８０とを設置した。【選択図】図１
2007335240.tif 000002
【特許請求の範囲】
【請求項１】
回転つまみと、前記回転つまみの回転によってその電気的出力が変化する電気的機能部と、前記回転つまみの外周を囲む位置に設置される揺動つまみと、前記揺動つまみの揺動によって押圧される外周スイッチと、を備えたことを特徴とする多機能型電子部品。
【請求項２】
請求項１に記載の多機能型電子部品において、
固定側部材であるケースを備え、
前記ケースの上部に前記回転つまみを回転自在に設置すると共に、前記ケースの下部に前記回転つまみと一体に回転する回転体を設置し、
前記ケースの外周部に前記揺動つまみを設置したことを特徴とする多機能型電子部品。
【請求項３】
請求項２に記載の多機能型電子部品において、
前記揺動つまみを前記ケースに揺動自在に連結する連結部材を備えたことを特徴とする多機能型電子部品。
【請求項４】
請求項２又は３に記載の多機能型電子部品において、
前記回転体と揺動つまみの下側に回路基板を設置し、
前記回路基板上の中央部に前記回転体に取り付けた摺動子と摺接してこの摺動子と共に前記電気的機能部を構成する摺接パターンを設置し、前記回路基板上の該摺接パターンの外周側に前記外周スイッチを設置したことを特徴とする多機能型電子部品。
【請求項５】
請求項１乃至４のいずれか１項に記載の多機能型電子部品において、
前記回転つまみの中央に設けた開口部内に押釦つまみを設置すると共に、前記押釦つまみによって押圧される中央スイッチを備えたことを特徴とする多機能型電子部品。
【発明の詳細な説明】
【技術分野】
【０００１】
本発明は、回転式電子部品の構成や押圧型電子部品の構成を一体に備えた多機能型電子部品に関するものである。
【背景技術】
【０００２】
車載用ナビゲーションシステム、コンピュータ、各種携帯機器、各種ＯＡ機器、ゲーム機などを操作するデバイスとして多機能型電子部品がある。この多機能型電子部品には、回転つまみと該回転つまみの回転により電気的出力が変化する電気的機能部とによる回転式電子部品の構成と、押釦つまみと該押釦つまみによって押圧されるスイッチなどからなる押圧式電子部品の構成とを一体に備えたものがある。このような多機能型電子部品は、回転つまみを回転させることで電気的機能部の電気的出力の変化によって所定の操作内容を選択し、押釦つまみによるスイッチの押圧操作でこの選択した操作内容を確定するなどして用いられる。
【０００３】
しかしながら、電子機器の小型化・多機能化のため、操作デバイスのさらなる高集積化が要求されており、上記の多機能型電子部品が備える構成にさらに他の種類のスイッチなどの電子部品の構成を追加して、これらをコンパクトに一体化して設ける構造の多機能型電子部品が要望されている。
【特許文献１】特開２００１−１８４９６７号公報
【発明の開示】
【発明が解決しようとする課題】
【０００４】
本発明は上述の点に鑑みてなされたものでありその目的は、回転式電子部品の構成に加えてさらに他の種類の電子部品の構成も備えてこれらをコンパクトに一体化することが可能な多機能型電子部品を提供することにある。
【課題を解決するための手段】
【０００５】
上記課題を解決するため本願の請求項１に記載の発明は、回転つまみと、前記回転つまみの回転によってその電気的出力が変化する電気的機能部と、前記回転つまみの外周を囲む位置に設置される揺動つまみと、前記揺動つまみの揺動によって押圧される外周スイッチと、を備えたことを特徴とする多機能型電子部品にある。
【０００６】
本願の請求項２に記載の発明は、請求項１に記載の多機能型電子部品において、固定側部材であるケースを備え、前記ケースの上部に前記回転つまみを回転自在に設置すると共に、前記ケースの下部に前記回転つまみと一体に回転する回転体を設置し、前記ケースの外周部に前記揺動つまみを設置したことを特徴とする。
【０００７】
本願の請求項３に記載の発明は、請求項２に記載の多機能型電子部品において、前記揺動つまみを前記ケースに揺動自在に連結する連結部材を備えたことを特徴とする。
【０００８】
本願の請求項４に記載の発明は、請求項２又は３に記載の多機能型電子部品において、前記回転体と揺動つまみの下側に回路基板を設置し、前記回路基板上の中央部に前記回転体に取り付けた摺動子と摺接してこの摺動子と共に前記電気的機能部を構成する摺接パターンを設置し、前記回路基板上の該摺接パターンの外周側に前記外周スイッチを設置したことを特徴とする。
【０００９】
本願の請求項５に記載の発明は、請求項１乃至４のいずれか１項に記載の多機能型電子部品において、前記回転つまみの中央に設けた開口部内に押釦つまみを設置すると共に、前記押釦つまみによって押圧される中央スイッチを備えたことを特徴とする。
【発明の効果】
【００１０】
本願の請求項１に記載の発明によれば、回転式電子部品の構成と揺動式電子部品の構成とを兼ね備えた多機能型電子部品をコンパクトに構成することができる。また回転つまみの外周を囲む位置に揺動つまみを設置していることで、回転つまみの回転操作と揺動つまみの揺動操作の両方を連動してスムーズに行うことができるので、多機能型電子部品の操作性を向上させることができる。
【００１１】
本願の請求項２に記載の発明によれば、回転つまみを備えた回転式電子部品と揺動つまみを備えた揺動式電子部品とをケースの上下及び外側にコンパクトに集約して設置することが可能となるので、多機能型電子部品の小型化を図ることができると共に、その操作性を向上させることができる。
【００１２】
本願の請求項３に記載の発明によれば、簡単な構成で揺動つまみを揺動自在に設置することができる。
【００１３】
本願の請求項４に記載の発明によれば、電気的機能部や外周スイッチを、回転つまみや揺動つまみの下側の同一平面上に収まるように配置することができるので、多機能型電子部品の構造が簡単になってその薄型化を図ることができる。
【００１４】
本願の請求項５に記載の発明によれば、押釦つまみと中央スイッチとを備えたことで、多機能型電子部品の機能をさらに多くすることができる。また押釦つまみを回転つまみの中央に設けた開口部内に設置しているので、多機能型電子部品の外径寸法を大きくせずに押釦つまみを設置することが可能となる。
【発明を実施するための最良の形態】
【００１５】
以下、本発明の実施形態を図面に基づいて詳細に説明する。図１は本発明の一実施形態にかかる多機能型電子部品１の概略側断面図であり、図２はこの多機能型電子部品１の上段側の構成部品を上側から見た分解斜視図で、図３は下段側の構成部品を上側から見た分解斜視図である。また、図４はこの多機能型電子部品１の上段側の構成部品を下側から見た分解斜視図で、図５は下段側の構成部品を下側から見た分解斜視図である。これらの図に示すように多機能型電子部品１は、押釦つまみ１０と、回転つまみ２０と、揺動つまみ３０と、固定側部材であるケース４０と、連結部材５０と、板ばね３５と、回転体（以下「摺動型物」という。）６０と、摺動子６６と、フレキシブル回路基板７０と、固定側部材である取付部材９０とを具備して構成されている。以下各構成部品について順に説明する。
【００１６】
押釦つまみ１０は成形樹脂製であり、略円板状の本体部１１と、該本体部１１の下面中央から下方向に延びる円柱軸状の押圧部１２とを具備し、本体部１１の上面が指などで押圧操作する操作部１３になっていて、本体部１１の外周側面にはつば部１４が形成されている。また、押圧部１２の側面には軸方向に沿う突起状に形成された回り止め１２ａが設けられている。
【００１７】
回転つまみ２０は成形樹脂製であり、略円板状の本体部２１の中央に円形の開口部２２を有し、上面の開口部２２の周囲には指などで回転操作する操作部２３が設けられている。開口部２２は、内部に押釦つまみ１０の本体部１１を設置できるように本体部１１の外径寸法よりも若干大きな内径寸法であって、且つ本体部１１に設けたつば部１４が上方に抜け出ないようにつば部１４の外径寸法よりも若干小さい内径寸法に形成されている。一方、本体部２１の下面の開口部２２の周囲には筒状の突出部２４が形成され、突出部２４の下端の等間隔（１２０°間隔）を隔てた３箇所の位置には、この回転つまみ２０に下記する板ばね３５を固定する円柱状の小突起からなる板ばね固定部２５が設けられている。さらに各板ばね固定部２５の間の等間隔（１２０°間隔）の３箇所の位置には、この回転つまみ２０に下記する摺動型物６０を固定する摺動型物固定部２６が設けられている。摺動型物固定部２６は、突出部２４の下端面に設置した断面が略矩形状の基部２６ａと、該基部２６ａの下端面から下方に向かって延びる円柱状の軸部２６ｂとを備えて構成されている。
【００１８】
揺動つまみ３０は成形樹脂製であり、中央に開口部３１を備えて円形のリング状に形成されている。開口部３１は、回転つまみ２０の本体部２１をその内側に配置できるように本体部２１の外径寸法よりも若干大きな内径寸法に形成されている。一方、揺動つまみ３０の上面の等間隔（９０°間隔）の４箇所の位置には突起状の操作部３２が設けられ、各操作部３２に対応する下面の４箇所の位置には下方に向かって突出する円柱状の突起からなる押圧部３３が設けられている。さらに下面の各押圧部３３の近傍（本実施形態では押圧部３３の円周方向の両側の２箇所）にはそれぞれ、下記する連結部材５０を固定するための小突起状の連結部材固定部３４が設けられている。
【００１９】
ケース４０は成形樹脂製であり、円形平板状の上面部４１を備え、該上面部４１の中央に円形の開口部４２を有している。開口部４２は、回転つまみ２０の突出部２４の外周面をその内周面で回転自在に軸支できる内径寸法に形成されている。また上面部４１の外周の下面側には下方に突出する筒状の外周突出部４３が形成され、開口部４２の内周の下面側には、外周突出部４３よりも小さな突出寸法で下方に突出する筒状の内周突出部４４が形成されている。さらに外周突出部４３の下端面の複数の位置（本実施形態では、等間隔（９０°間隔）の４箇所の位置）には、連結部材５０を固定するための円柱軸状の連結部材固定部４５を設けている。さらに各連結部材固定部４５の円周方向の両側にはそれぞれ、このケース４０を取付部材９０に固定するための小突起状の取付部材固定部４６が設けられている。取付部材固定部４６は、外周突出部４３の下端面に設置した断面が略矩形状の基部４６ａと、該基部４６ａの下端面から下方に向かって延びる円柱状の軸部４６ｂとを備えて構成されている。また上面部４１の下面の外周突出部４３と内周突出部４４の間には、下記する板バネ３５のクリック弾接部３９を弾接係合させる凹凸を所定間隔で環状に配置してなるクリック係合部４７が形成されている。
【００２０】
またスペーサ部材１５は、回転つまみ２０の本体部２１の下面とケース４０の上面部４１の上面との間に設置して回転つまみ２０の回転時のケース４０に対する回転摺動性を良好にするための部材である。このスペーサ部材１５は、ＡＢＳなどの摺動性に優れた成形樹脂製の薄板状部材で、ケース４０の上面部４１の外形と略一致する円形の外形を有し、中央には回転つまみ２０の突出部２４を挿通させる円形の開口部１５ａが形成されている。
【００２１】
回転つまみ取付板１６は金属製又は成形樹脂製の硬質平板であり、その外形が円形でケース４０の内周突出部４４よりも若干大きな外径寸法を有し、中央に押釦つまみ１０の押圧部１２を挿通させる円形の開口部１６ａが設けられ、開口部１６ａの外側の等間隔（１２０°間隔）の３箇所の位置には、回転つまみ２０の摺動型物固定部２６の基部２６ａを挿通させる扇形の貫通孔からなる挿通部１６ｂが形成され、これら挿通部１６ｂの間の等間隔（１２０°間隔）の３箇所の位置には、回転つまみ２０の板ばね固定部２５を固定する貫通孔からなる取付固定部１６ｃが形成されている。
【００２２】
板バネ３５は、弾性金属板を円形に形成した本体部３６と、該本体部３６の外周を囲む位置に設置された一対の半円弧状のアーム部３７，３７とを一体に形成している。本体部３６は回転つまみ取付板１６と略同一の外径寸法を有し、中央に開口部１６ａと同形の開口部３６ａを設けると共に、挿通部１６ｂに対応する位置には扇形の貫通孔からなる挿通部３６ｂが形成され、取付固定部１６ｃに対応する位置には円形の貫通孔からなる取付固定部３６ｃが形成されている。本体部の１８０°対向する両外周端部には、外方に突出して両アーム部３７，３７の根元部分に連結する一対の連結部３８，３８が設けられ、両アーム部３７，３７がこれら連結部３８，３８の先端からそれぞれ本体部の外周に沿って円周方向に延伸して半円弧形状に形成され、両アーム部３７，３７の中間部付近には板ばね３５の上面側に突出する突起状のクリック弾接部３９，３９が形成されている。
【００２３】
連結部材５０は可撓性を有する部材（本実施形態では合成樹脂フイルム（例えばポリエチレンテレフタレートフイルム）製）であり、外形が略円形で中央に略四角形状の開口部５１を設けてリング状に形成され、開口部５１の内周の複数の位置（本実施形態では等間隔（９０°間隔）の四箇所の位置）には、開口部５１の内方に向けて突出する舌片状の突出部５２を有し、各突出部５２に、ケース４０の連結部材固定部４５を固定する円形の貫通孔からなる取付固定部５２ａを設けている。また連結部材５０の外周の複数の位置（本実施形態では等間隔（９０°間隔）の４箇所の位置（突出部５２とは４５°ずれた位置））には、揺動つまみ３０の押圧部３３を挿通させる外周から内側に向かう切り込みからなる押圧部挿通部５３が形成されると共に、各押圧部挿通部５３の近傍（本実施形態では円周方向の両側の２箇所の位置）には、揺動つまみ３０の連結部材固定部３４を固定する貫通孔からなる取付固定部５４が設けられている。なお、連結部材５０としては上記した合成樹脂フイルムのほか、可撓性を有する合成樹脂の成型部品や、可撓性を有する金属製の板状部材などを用いても良い。また図示は省略するが、連結部材５０はケース４０又は揺動つまみ３０自体に一体成形によって形成してもよい。その際の連結部材はリング状に形成しても良いし、揺動つまみ３０に一体に形成された薄板舌片状の可撓性を有する連結部材にケース４０を取り付けたり、ケース４０に一体に形成された薄板舌片状の可撓性を有する連結部材に揺動つまみ３０を取り付けたりして構成してもよい。さらに上記では連結部材５０がリング状で一体に形成されている部品である場合を示したが、これ以外にも揺動つまみ３０の連結部材固定部３４とケース４０の連結部材固定部４５とを揺動自在に連結できるものであれば、各連結部材固定部３４と各連結部材固定部４５とをそれぞれ連結する複数の部品に分割されていてもよい。
【００２４】
摺動型物６０は成形樹脂製であり、円形平板状に形成されてその中央に押釦つまみ１０の押圧部１２を挿通させる円形の開口部６１を設け、回転つまみ２０の摺動型物固定部２６に対応する３箇所の位置には貫通孔からなる取付固定部６２を設け、回転つまみ２０の板ばね固定部２５に対応する位置には、板ばね３５の下面に突出する板ばね固定部２５の先端部を収納配置する収納凹部６３が形成されている。一方、摺動型物６０の下面の開口部６１の周囲には下方に突出する筒状の突出部６４が形成されており、下面の取付固定部６２の間の等間隔（１２０°間隔）の３箇所の位置には、摺動子６６を固定するための小突起状の固定部６５が設けられている。
【００２５】
下記の電気的機能部５５の構成部品である摺動子６６は弾性金属板製であり、摺動型物６０とほぼ同一の外径寸法を有する略円形の平板状に形成され、中央に円形の開口部６６ａを設けると共に、開口部６６ａの外周の等間隔（１２０°間隔）の３箇所の位置には、摺動型物６０の固定部６５を固定する貫通穴からなる取付固定部６６ｂが設けられている。そして各取付固定部６６ｂの側部から３本の摺接ブラシ６７ａ，６７ｂ，６７ｃを備えた摺動接点６７が突出して摺動子６６の円周方向に沿って延伸し、その先端が隣接する取付固定部６６ｂの近傍まで達している。各組の摺接ブラシ６７ａ，６７ｂ，６７ｃは根元部分が摺動子６６の下面側に向かって若干折り曲げられていると共に、各摺接ブラシ６７ａ，６７ｂ，６７ｃの先端近傍には、摺動子６６の下面側に突出する突起状の接点部６８が形成されている。なお、各摺動接点６７が備える３本の摺接ブラシ６７ａ，６７ｂ，６７ｃのうち、外側の摺接ブラシ６７ａが下記する摺接パターン７５のコモンパターン７６に摺接し、内側の残りの２本の摺接ブラシ６７ｂ，６７ｃが下記する接点パターン７７ａ，７７ｂに摺接するようになっている。
【００２６】
フレキシブル回路基板７０は可撓性を有する合成樹脂フイルム製で、摺動子６６が摺接する下記の電気的機能部５５の構成部品である摺接パターン７５と揺動つまみ３０の押圧部３３で押圧される外周スイッチ７８の接点パターン７８ａとが形成された第１回路基板部７１と、第１回路基板部７１の外周から外方に引き出される帯状の連結アーム７２と、連結アーム７２の先方に接続されて中央スイッチ８０の接点パターン８０ａが形成されている第２回路基板部７３とを一体に備えている。第１回路基板部７１は略円形の外形を有し、中央に押釦つまみ１０の押圧部１２を挿通する開口部７４を設け、上面７１ａの開口部７４の周囲に銀などの導電ペーストを印刷形成してなる摺接パターン７５が設けられている。開口部７４は、押圧部１２の回り止め１２ａを配置する略コ字状の回り止め配置部７４ａを備え、押圧部１２の断面形状と略同一の形状に形成されている。摺接パターン７５は、一本の円弧状のコモンパターン７６と、該コモンパターン７６の内側に同一円周上で開口部７４の両側に分割配置された二本の櫛歯状の接点パターン７７（７７ａ，７７ｂ）とで構成されている。上記したようにコモンパターン７６には摺接ブラシ６７ａが摺接し、接点パターン７７には摺接ブラシ６７ｂ，６７ｃが摺接する。なお接点パターン７７ａ，７７ｂの櫛歯状部分は、互いの位置が１２０°間隔よりも若干ずれた位置になるように形成されている。
【００２７】
また第１回路基板部７１の上面７１ａの摺接パターン７５の外周側には、同一円周上の等間隔（９０°間隔）の４箇所の位置に外周スイッチ７８が配置されている。外周スイッチ７８は、上面７１ａに銀などの導電ペーストを印刷形成してなる接点パターン７８ａと、該接点パターン７８ａ上に取り付けられた弾性金属板をドーム形状に形成してなる反転板（可動接点板）７８ｂ（図１参照）とで構成されている。また各外周スイッチ７８の間であってケース４０の取付部材固定部４６に対応する位置には、貫通孔からなる取付固定部７９が設けられている。
【００２８】
そして第１回路基板部７１の外周から突出する連結アーム７２は帯状で、その先端に第２回路基板部７３が接続されている。第２回路基板部７３は、第１回路基板部７１よりも小さい径寸法の略円形の外形を有し、下面７３ｂ（第１回路基板部７１の摺接パターン７５や外周スイッチ７８を設けた上面７１ａとは反対側の面）に中央スイッチ８０が設置されている。中央スイッチ８０は外周スイッチ７８と同様の構成であり、第２回路基板部７３の下面７３ｂに形成した接点パターン８０ａと、接点パターン８０ａ上に取り付けられた反転板（可動接点板）８０ｂ（図１参照）とを備えている。またこの第２回路基板部７３の下記する取付部材９０の固定部９４に対応する４箇所の位置には、貫通孔からなる取付固定部８１が形成されている。なお、上記摺接パターン７５や接点パターン７８ａ，８０ａはフレキシブル基板７０上に設けた図示しない回路パターンと接続され、複数の回路パターンが第１回路基板部７１の外周から引き出されているリードアウト部８２に集約されている。
【００２９】
取付部材９０は成形樹脂製の略円形の硬質平板であり、揺動つまみ３０の外径よりも若干大きな外径寸法を備え、中央には押釦つまみ１０の押圧部１２を挿通させる円形の開口部９１を設け、開口部９１の外側のケース４０の取付部材固定部４６に対応する位置には、貫通孔からなる取付固定部９２を設けている。また下面９０ｂの開口部９１の周囲には、開口部９１よりも大きな径寸法を有する略円形の凹部９３が形成されている。この凹部９３は第２回路基板部７３を内部に収納配置するもので、この凹部９３の底面の等間隔（９０°間隔）の４箇所の位置には、第２回路基板部７３や下記する中央スイッチ支持板８５を凹部９３内で固定するための小突起状の固定部９４が形成されている。また凹部９３の外周の一部には、取付部材９０の外周端まで帯状の溝部として形成された連結部設置部９５が接続されている。
【００３０】
また中央スイッチ支持板８５は、第２回路基板部７３に取り付けられて中央スイッチ８０を支持するもので、金属製又は成形樹脂製の硬質平板で、その外形が第２回路基板部７３と略同一寸法の円形に形成され、取付部材９０の固定部９４に対応する４箇所の位置には、貫通孔からなる取付固定部８６が設けられている。
【００３１】
次にこの多機能型電子部品１の組み立て方法を説明する。まず、回転つまみ２０の開口部２２内に下側から押釦つまみ１０の本体部１１を挿入し、操作部１３を開口部２２から回転つまみ２０の上面側に露出させた状態で設置する。そしてケース４０の上面部４１の上面と回転つまみ２０の本体部２１の下面との間にスペーサ部材１５を介在させて、ケース４０の開口部４２内に上側から回転つまみ２０の突出部２４を挿入することで、ケース４０の上部に回転つまみ２０を載置する。そして回転つまみ２０の突出部２４の下端面に回転つまみ取付板１６と板ばね３５とをこの順に取り付けて固定する。この際、押釦つまみ１０の押圧部１２を回転つまみ取付板１６の開口部１６ａと板ばね３５の開口部３６ａとに挿通させる。また、回転つまみ２０の摺動型物固定部２６を回転つまみ取付板１６の挿通部１６ｂと板ばね３５の挿通部３６ｂとに挿通すると共に、板ばね固定部２５を回転つまみ取付板１６の取付固定部１６ｃと板ばね３５の取付固定部３６ｃとに挿通して、板ばね３５の下面側に突出する板ばね固定部２５の先端を熱カシメして固定する。
【００３２】
続いて板ばね３５の下面側に摺動型物６０を一体に取り付ける。この際、押釦つまみ１０の押圧部１２を摺動型物６０の開口部６１に挿通させる。また、挿通部３６ｂから板ばね３５の下面側に突出する摺動型物固定部２６の軸部２６ｂを摺動型物６０の取付固定部６２に挿通して、摺動型物６０の下面側に突出するこの摺動型物固定部２６の先端を熱カシメする。これによりケース４０の上部に設置した回転つまみ２０と、ケース４０の下部に設置した板ばね３５及び摺動型物６０とが一体に固定され、これらがケース４０の上下で該ケース４０に対して一体に回転自在となるように設置される。またこのとき板ばね３５のクリック弾接部３９がケース４０のクリック係合部４７に弾接係合した状態になる。また摺動型物６０の固定部６５を摺動子６６の取付固定部６６ｂに挿通させて、摺動子６６の下面側に突出する固定部６５の先端を熱カシメすることで、摺動型物６０の下面に摺動子６６を取り付ける。なお、上記では摺動型物６０の取付固定部６２に挿通した摺動型物固定部２６の先端を熱カシメして固定する場合を説明したが、摺動型物固定部２６を摺動型物６０の取付固定部６２に挿入するだけで、熱カシメによる固定を行わずに組み立てるようにしても良い。
【００３３】
続いて、揺動つまみ３０の開口部３１内にその上側から前記のケース４０を挿入することで、ケース４０の外側に揺動つまみ３０を設置する。そして揺動つまみ３０の下面とケース４０の下面とを連結部材５０で連結する。この際、揺動つまみ３０の連結部材固定部３４とケース４０の連結部材固定部４５とをそれぞれ連結部材５０の取付固定部５４と取付固定部５２ａにその上側から挿通させて、連結部材５０の下面側に突出する連結部材固定部３４の先端と連結部材固定部４５の先端とを熱カシメして固定する。これによりケース４０の外周に揺動つまみ３０が揺動自在に設置される。
【００３４】
一方で、フレキシブル回路基板７０の第１回路基板部７１を取付部材９０の上面９０ａに載置すると共に、連結アーム７２を折り返して取付部材９０の下面９０ｂの連結部設置部９５内に配設し、第２回路基板部７３をその下面７３ｂを上に向けた状態で凹部９３内に設置する。そして第２回路基板部７３の下側（上面７３ａ側）に中央スイッチ支持板８５を重ねて配置して、凹部９３内の固定部９４を第２回路基板部７３の取付固定部８１と中央スイッチ支持板８５の取付固定部８６とに挿通し、中央スイッチ支持板８５の下面側に突出する固定部９４の先端を熱カシメする。これにより取付部材９０の開口部９１の下側であって該取付部材９０の下面９０ｂ側に開口する凹部９３内に、第２回路基板部７３及び中央スイッチ８０が配置された状態になる。
【００３５】
続いてこのフレキシブル回路基板７０を取り付けた取付部材９０の上部に前記のケース４０を設置する。この際、押釦スイッチ１０の押圧部１２をその回り止め１２ａを回り止め配置部７４ａに合わせて開口部７４に挿通させる。また、ケース４０の取付部材固定部４６を取付部材９０の取付固定部９２に挿通し、取付部材９０の下面側に突出する取付部材固定部４６の先端を熱カシメすることで、取付部材９０の上面９０ａにケース４０を一体に固定する。このとき摺動型物６０に取り付けた摺動子６６の摺動接点６７が、取付部材９０上の第１回路基板部７１の摺接パターン７５に当接した状態になる。以上により多機能型電子部品１の組み立てが完了する。
【００３６】
このようにして組み立てられた多機能型電子部品１は、図１に示すように、固定側部材であるケース４０を備え、該ケース４０の開口部４２の内周部によって回転自在に軸支された回転つまみ２０をケース４０の上部に設置すると共に、回転つまみ２０と一体に回転する摺動型物６０をケース４０の下部に設置し、ケース４０及び回転つまみ２０の外周部に揺動つまみ３０を設置している。この揺動つまみ３０はケース４０に対して連結部材５０で揺動自在に連結されており、揺動つまみ３０の下側には揺動つまみ３０の揺動によって押圧される外周スイッチ７８が設置されている。また摺動型物６０に取り付けた摺動子６６と該摺動子６６が摺接する取付部材９０上の第１回路基板部７１に設けた摺接パターン７５とで、回転つまみ２０の回転によってその電気的出力が変化する電気的機能部５５が構成されている。
【００３７】
また回転つまみ２０の中央に設けた開口部２２内に押釦つまみ１０が設置されると共に、この押釦つまみ１０の下側に押釦つまみ１０の押圧部１２によって押圧される中央スイッチ８０が設置されている。この中央スイッチ８０は、取付部材９０の上面に設置したフレキシブル回路基板７０の第１回路基板部７１から外方に引き出された連結アーム７２の先方に設けた第２回路基板部７３の下面７３ｂに設置されている。そして連結アーム７２を折り返すことで、第２回路基板部７３が第１回路基板部７１の下面側に配置され、中央スイッチ８０が取付部材９０の開口部９１と第１回路基板部７１の開口部７４とに挿通された押釦つまみ１０の押圧部１２の下端に対向して配置されている。なお、揺動つまみ３０は、その押圧部３３が外周スイッチ７８の反転板７８ｂ上に載置された状態になっており、押釦つまみ１０は、その押圧部１２が中央スイッチ８０の反転板８０ｂ上に載置された状態になっている。
【００３８】
次にこの多機能型電子部品１の動作を説明する。まず回転つまみ２０の操作部２３を指などで操作して回転させることで、板ばね３５及び摺動型物６０が回転つまみ２０と一体に回転する。これにより板ばね３５のクリック弾接部３９がケース４０のクリック係合部４７に弾接係合してクリック感覚が生じると共に、摺動型物６０に取り付けた摺動子６６の摺動接点６７が摺接パターン７５上を摺接し、摺接パターン７５の電気的出力が変化する。この際、３組の摺動接点（図１０参照）６７のうちの何れかの組の摺動接点６７の外側の摺接ブラシ６７ａが常にコモンパターン７６（図１１参照）に摺接する一方、内側の摺接ブラシ６７ｂ，６７ｃが接点パターン７７ａ，７７ｂ（図１１参照）に摺接してこれをオンオフするが、上記したように両接点パターン７７ａ，７７ｂの櫛歯状部は１２０°の間隔よりも若干ずれた位置に設けられているので、いずれかの摺動接点６７が何れか一方の接点パターン７７ａ又は７７ｂに摺接してこれをオンするタイミングと、他の摺動接点６７が他方の接点パターン７７ｂ又は７７ａに摺接してこれをオンするタイミングの位相が少しずれるので、両接点パターン７７ａ，７７ｂから出力されるオンオフ信号の位相が若干ずれるようになっている。これにより、例えば摺動子６６が左右いずれの向きに回転しているかを検出できるようになっている。
【００３９】
一方、押釦つまみ１０の操作部１３を押圧操作することで、押釦つまみ１０が下降してその押圧部１２が中央スイッチ８０の反転板８０ｂを押圧して反転させ、中央スイッチ８０がオンする。押釦つまみ１０への押圧を解除すれば、反転板８０ｂの復帰力で中央スイッチ８０がオフする。また一方で、揺動つまみ３０のいずれかの操作部３２（図４参照）を押圧操作すれば、揺動つまみ３０が揺動してその押圧された操作部３２を設けた位置が下降し、その下面側に設けた押圧部３３が対向する外周スイッチ７８の反転板７８ｂを押圧して反転させて、外周スイッチ７８をオンする。揺動つまみ３０を揺動させている力を解除すれば、連結部材５０と反転板７８ｂの復帰力で揺動つまみ３０は元の位置に自動復帰して、外周スイッチ７８がオフする。
【００４０】
この多機能型電子部品１は、携帯型端末装置等に設置して用いる場合には、一例として回転つまみ２０の回転操作によって所定の操作内容を順に携帯型端末装置の表示部に表示させ、揺動つまみ３０を揺動させる操作でこの表示させた操作内容のうちのいずれかを選択し、さらに押釦つまみ１０を押圧する操作でこの選択した操作内容を確定するなどして用いることができる。
【００４１】
上記構成の多機能型電子部品１は、回転つまみ２０と、該回転つまみ２０の回転によって電気的出力が変化する電気的機能部５５と、回転つまみ２０の外周を囲む位置に設置された揺動つまみ３０と、揺動つまみ３０の揺動によって押圧される外周スイッチ７８とを備えているので、回転つまみ２０と電気的機能部５５によって構成される回転式電子部品の構成と、揺動つまみ３０と外周スイッチ７８によって構成される揺動式電子部品の構成とを兼ね備えた多機能型電子部品１をコンパクトに構成することを可能としている。また揺動つまみ３０を回転つまみ２０の外周を囲む位置に設置していることで、回転つまみ２０の回転操作と揺動つまみ３０の揺動操作の両方を連動してスムーズに行うことができるので、多機能型電子部品１の操作性を良好にすることができる。
【００４２】
またこの多機能型電子部品１は、固定側部材であるケース４０を備え、ケース４０の上部に回転つまみ２０を回転自在に設置すると共に、ケース４０の下部に回転つまみ２０と一体に回転する摺動型物６０を設置し、ケース４０の外周部に揺動つまみ３０を設置したことで、各構成部品をケース４０の上下及び外側にコンパクトに集約させて設置することを可能としており、それによって多機能型電子部品１の小型化を図ることができると共に、その操作性を向上させることができる。
【００４３】
またこの多機能型電子部品１では、摺動型物６０と揺動つまみ３０の下側にフレキシブル回路基板７０の第１回路基板部７１を設置し、この第１回路基板部７１上に、摺動型物６０に取り付けた摺動子６６と摺接してこの摺動子６６と共に電気的機能部５５を構成する摺接パターン７５と、外周スイッチ７８とを設けたことで、電気的機能部５５や外周スイッチ７８を回転つまみ２０や揺動つまみ３０の下側の同一平面上に収まるように配置することができるので、多機能型電子部品１の構造が簡単になってその薄型化を図ることができる。
【００４４】
さらにこの多機能型電子部品１では、押釦つまみ１０を備えると共にこの押釦つまみ１０によって押圧される中央スイッチ８０を備えているので、回転つまみ２０と揺動つまみ３０だけを備えている場合よりも、多機能型電子部品１の機能をさらに多くすることができる。また押釦つまみ１０は、回転つまみ２０の中央に設けた開口部２２内に設置されているので、多機能型電子部品１の外径寸法を大きくせずに押釦つまみ１０の設置を可能としている。
【００４５】
またこの多機能型電子部品１では、回路基板をフレキシブル回路基板７０とし、中央スイッチ８０を、フレキシブル回路基板７０が備える第１の回路基板部７１から外方に引き出される連結アーム７２の先方に接続した第２回路基板部７３の下面７３ｂに設置し、連結アーム７２を折り返すことで第２回路基板部７３上の中央スイッチ８０を第１回路基板部７１の下面側の押釦つまみ１０の押圧部１２に対向する位置に配置している。これにより、電気的機能部５５と外周スイッチ７８及び中央スイッチ８０を、同一の回路基板上に設けることができるので、多機能型電子部品１の部品点数を少なくすることができる。また中央スイッチ８０を第１回路基板部７１の下面側に配置したので、摺接パターン７５の内側に中央スイッチ８０を設ける必要がなくなり、その分摺接パターン７５の外径寸法を小型化でき、多機能型電子部品１の外形寸法の小型化を図ることができる。また、第１回路基板部７３及び中央スイッチ８０を取付部材９０の下面９０ｂに設けた凹部９３内に収納配置したので、第１回路基板部７３が取付部材９０の下面９０ｂ側に突出せず、その分高さ寸法を小型化することが可能となる。
【００４６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施形態では、多機能型電子部品１に押釦つまみ１０と中央スイッチ８０を設置した場合を説明したが、これら押釦つまみ１０と中央スイッチ８０は必ずしも設ける必要はなく、これらを省略して多機能型電子部品１を構成することも可能である。その場合は、フレキシブル回路基板７０の連結アーム７２や第２回路基板部７３を省略でき、取付部材９０の開口部９１や凹部９３も不要となる。またその場合の第１回路基板部７１は硬質基板で構成することもできる。
【００４７】
また上記実施形態の多機能型電子部品１が備えるフレキシブル回路基板７０は、摺接パターン７５及び外周スイッチ７８を設けた第１回路基板部７１と、中央スイッチ８０を設けた第２回路基板部７３とを備え、取付部材９０の上部に第１回路基板部７１を設置して下部に第２回路基板部７３を設置しているが、これは第１回路基板部７１上の摺接パターン７５の内側位置に中央スイッチ８０を設置するための十分なスペースを確保できないためであり、第１回路基板部７１上に中央スイッチ８０を設置するスペースを確保可能であれば、中央スイッチ８０を、摺接パターン７５及び外周スイッチ７８と共に第１回路基板部７１上に形成してもよい。その場合はフレキシブル回路基板７０の連結アーム７２や第２回路基板部７３を省略することができ、取付部材９０の開口部９１や凹部９３も不要となる。
【００４８】
また上記実施形態では、摺動型物６０に取り付けた摺動子６６と取付部材９０上に設置したフレキシブル回路基板７０上の摺接パターン７５とで電気的機能部５５を構成しているが、電気的機能部５５としては、回転つまみ２０の回転によりその電気的出力が変化する構成であれば他の構成を採用してもよい。即ち、図示は省略するが例えば上記実施形態とは逆に可動部材側の摺動型物６０に摺接パターンを設け、固定部材側の取付部材９０に摺動子を設置することも可能である。
【００４９】
また上記実施形態ではフレキシブル回路基板７０に形成した中央スイッチ８０や外周スイッチ７８などの各スイッチを、１枚の合成樹脂フイルム上に形成した接点パターン上に反転板を取り付けることで構成しているが、これらのスイッチは二枚の合成樹脂フイルムを重ね合わせて両合成樹脂フイルムに設けた一対の接点パターンを、絶縁層などからなるスペーサ部材を介在させることで隙間を有した状態で対向させ、一方の合成樹脂フイルムに設けた接点パターンの裏面側（揺動つまみや押釦つまみを設置している側）に反転板を設置することで構成されるスイッチ（メンブレンスイッチ）としても良い。
【図面の簡単な説明】
【００５０】
【図１】本発明の一実施形態にかかる多機能型電子部品の側断面図である。
【図２】多機能型電子部品の上段側の構成部品を上側から見た分解斜視図である。
【図３】多機能型電子部品の下段側の構成部品を上側から見た分解斜視図である。
【図４】多機能型電子部品の上段側の構成部品を下側から見た分解斜視図である。
【図５】多機能型電子部品の下段側の構成部品を下側から見た分解斜視図である。
【符号の説明】
【００５１】
１    多機能型電子部品
１０  押釦つまみ
１２  押圧部
２０  回転つまみ
３０  揺動つまみ
４０  ケース（固定側部材）
５０  連結部材
６０  摺動型物（回転体）
６６  摺動子（電気的機能部）
７０  フレキシブル回路基板（回路基板）
７１  第１回路基板部
７２  連結アーム
７３  第２回路基板部
７５  摺接パターン（電気的機能部）
７６  コモンパターン
７７  接点パターン
７８  外周スイッチ
８０  中央スイッチ
９０  取付部材（固定側部材）
【図１】
2007335240.tif 000003
【図２】
2007335240.tif 000004
【図３】
2007335240.tif 000005
【図４】
2007335240.tif 000006
【図５】
2007335240.tif 000007